(57)【要約】【課題】従来、ユーザのモラルに任せていた携帯通信装置のマナーモード設定を、映画の上映時間中等、これらのサービスを提供している事業者側が、マナーモード設定を行わせることで設定し忘れの減少に貢献し、かつコストアップを招かない装置を提供する。【解決手段】Ｗｅｂページの閲覧によって、マナーモード設定コマンドが携帯通信装置のブラウザ１０へ送信される。書込部２０は、そのコマンドに基づいてマナーモード設定に関する日時情報をメモリ１３に書き込む。クロック部１４によって計時される現在日時が、メモリ１３に格納されている日時情報に示される日時になれば、モード移行部１５によって通常モードからマナーモード、又は、マナーモードから通常モードに移行させる。【選択図】  図１
2005006021.tif 000002
【特許請求の範囲】
【請求項１】
ネットワークを介して、サーバ装置におけるＷｅｂページにアクセスする携帯通信装置であって、
メモリと、
Ｗｅｂページから時刻情報を取得するブラウザと、
前記ブラウザで取得された時刻情報をメモリに書き込む書込手段と、
現在時刻を計時するクロック手段と、
現在時刻がメモリ中の時刻情報に示される時刻になれば、通常モードからマナーモードに移行する処理、又は、マナーモードから通常モードに移行する処理を行うモード移行手段とを備える
ことを特徴とする携帯通信装置。
【請求項２】
前記ブラウザは、Ｗｅｂページの内容を解析して、ＸＭＬ言語で記述されたコマンドを抽出するパーサ部を備え、
前記書込手段によるメモリへの時刻情報の書き込みは、抽出されたコマンドが時刻情報をメモリに書き込む旨の書込コマンドである場合に行われる
ことを特徴とする請求項１記載の携帯通信装置。
【請求項３】
前記パーサ部によるコマンドの抽出は、Ｗｅｂページにおいて、所定のタグで囲まれた部分に対して行われる
ことを特徴とする請求項２記載の携帯通信装置。
【請求項４】
メモリには、モード移行手段に対する設定要件を規定する変数領域があり、
前記書込コマンドは、当該変数領域を、時刻情報の書込先に指定している
ことを特徴とする請求項２又は３記載の携帯通信装置。
【請求項５】
携帯通信装置によりアクセスされるサーバ装置であって、
Ｗｅｂページを携帯通信装置に提供する提供手段を備え、
Ｗｅｂページは、ＸＭＬ言語で記述された書込コマンドを含み、書込コマンドは、メモリに、時刻情報を書き込む旨を携帯通信装置に命じるコマンドであり、
時刻情報は、通常モードからマナーモードへの移行を行うべき時刻、又は、マナーモードから通常モードへの移行を行うべき時刻を示す
ことを特徴とするサーバ装置。
【発明の詳細な説明】
【０００１】
【発明の属する技術分野】
本発明は、携帯電話やＰＤＡなどの携帯通信装置と、サーバ装置に関し、マナーモード設定の改良に関する。
【０００２】
【従来の技術】
映画館や電車内などの公共の場や、会議など多数の人々が集まる場においては、携帯電話機の呼出音や操作音などを鳴らさないようにするなどの周囲への配慮が、公衆の場でのマナーとして求められている。例えば、携帯電話機には着信時に着信音を鳴らさずに、振動などで着信を報知するマナーモードが機能として備わっており、周囲の人々を不快にさせずに着信を報知することができる。ここでマナーモードとは、着信時の呼出音や、キーの操作音、音声再生など、周囲の人々に迷惑になるような音声出力を禁止し、振動など他の出力に置き換えるモード、あるいは、音声再生等の音声出力を周囲に聞こえない程度まで音量を下げるモードのことをいう。
【０００３】
しかし、マナーモードの設定は必要の度に手動で行わなければならないため、設定し忘れることがあり、そのために周囲の人々に迷惑をかけたり、また解除し忘れたがために緊急の連絡に気づかないなどの問題も起こりうる。
マナーモードの設定に関しては、例えば特許文献１、２に開示されている先行技術がある。特許文献１は、事前にマナーモードの開始時刻と終了時刻とを登録しておく技術を開示しており、特許文献２は、位置情報に基づいてマナーモード設定を行う技術を開示している。
【０００４】
【特許文献１】
特開２００１−１２７８３８号公報
【０００５】
【特許文献２】
特開２００２−３１４６４２号公報
【０００６】
【発明が解決しようとする課題】
しかしながら、特許文献１はマナーモードの設定をユーザのモラルに任せるという域を脱していない。そのため、映画館内におけるマナーモード設定率の向上を望んでいる映画館関係者にとっては不満が残るものである。
話題作の上映ともなると、都心の大規模な映画館では１回の上映につき数百人の入場が見込まれる。ところが、携帯電話機を所有している観客全員が電源を切ったり、マナーモードに設定しているとは限らない。たった１台の携帯電話機から呼出音が鳴り響いたがために、せっかくのシーンが台無しになってしまうこともあり得る。このようなことは、周囲の観客は勿論のこと、映画館関係者にとっても堪え難いことである。そこで考えられるのは、マナーモードの設定し忘れを減少させるために、映画館の入り口で持ち物検査を行い、観客が所有している携帯電話機を、係員が強制的にマナーモードに設定するという方法である。しかし、この方法では多くの人手を要するだけでなく、観客の気分を害することになる。ここで、特許文献２のように位置情報に基づき、マナーモードの設定を行うとの技術を導入すれば、ユーザの意思とは関係なく行われ、マナーモードの設定は徹底されることになる。しかし、位置情報の検出にはＧＰＳを携帯電話機に設けておく必要があり、そのため携帯電話機のコストアップを招きかねない。
【０００７】
このような映画館の関係者側の都合による携帯電話機のコストアップは、一般ユーザには到底受け入れられるものではない。
そこで、本発明の目的は、マナーモードの設定し忘れを減少させうる携帯通信装置を提供することである。本発明の別の目的は、コストアップを招かずにマナーモードの設定し忘れを減少させることができる携帯通信装置を提供することを目的とする。
【０００８】
【課題を解決するための手段】
上記目的を達成するために、本発明に係る携帯通信装置は、ネットワークを介して、サーバ装置におけるＷｅｂページにアクセスする携帯通信装置であって、メモリと、Ｗｅｂページから時刻情報を取得するブラウザと、前記ブラウザで取得された時刻情報をメモリに書き込む書込手段と、現在時刻を計時するクロック手段と、現在時刻がメモリ中の時刻情報に示される時刻になれば、通常モードからマナーモードに移行する処理、又は、マナーモードから通常モードに移行する処理を行うモード移行手段とを備える。
【０００９】
上記別の目的を達成するには、前記ブラウザに、Ｗｅｂページの内容を解析して、ＸＭＬ言語で記述されたコマンドを抽出するパーサ部を設け、前記書込手段によるメモリへの時刻情報の書き込みを、抽出されたコマンドが時刻情報をメモリに書き込む旨の書込コマンドである場合に行うように構成すればよい。
【００１０】
【発明の実施の形態】
以下、本発明に係る携帯通信装置の実施形態について、携帯電話機を一例にして説明する。図１は携帯電話機でインターネット接続し、Ｗｅｂページを閲覧する場合に必要な通信システムを示す図である。携帯電話機については、その内部構成も示している。本図に示すように、通信システムはＷｅｂサーバ１、ネットワーク３、基地局４、携帯電話機５から構成される。
【００１１】
Ｗｅｂサーバ１は、各通信事業者によって管理されており、サーバ上で提供される各種サービスを、ネットワーク３、基地局４を介して、各ユーザが所持する携帯電話機５へ送信する。また、Ｗｅｂサーバ１は提供部２を備えている。ここで各種サービスとは、映画館で上映されている映画の紹介や上映時間の告知などが掲載されたＷｅｂページを、ユーザに閲覧させることである。
【００１２】
提供部２は、携帯電話機５で実行することが可能なＭＭＣ（Ｍｏｂｉｌｅ  Ｍａｎａｇｅｍｅｎｔ  Ｃｏｍｍａｎｄ）を、Ｗｅｂサーバ１上に設置された特定のＷｅｂページにアクセスした携帯電話機５に送信するものである。ここでＭＭＣとは、ＸＭＬ形式で記述されたコマンド列であり、携帯電話機５はこのコマンド列を解釈、実行することによって各種設定がなされる。
【００１３】
続いて携帯電話機５について説明する。携帯電話機５は、アンテナ６、ＲＦ部７、ＢＢ部８、制御部９、表示部１２、メモリ１３、クロック部１４、発光部１６、振動モータ１７、リンガ１８、操作部１９から構成される。
ＲＦ部７は、高周波信号とベースバンド信号の変換処理を行う。データの受信時において、アンテナ６から入力されてくる高周波信号を増幅し、ベースバンド信号に変換してＢＢ部８に出力する。データの送信時においては、ＢＢ部８より出力されたベースバンド信号を高周波信号に変換し、増幅した上で送信出力する。
【００１４】
ＢＢ部８は、ベースバンド信号に対する送受信処理を行う。受信時においてＲＦ部７から出力されたベースバンド信号に対して受信処理を行ってデジタルデータを得て制御部９に出力する。送信時においては、制御部９からのベースバンド信号をＲＦ部７に出力する。
制御部９は、ＣＰＵとＲＯＭから構成されており、ＣＰＵがＲＯＭに格納されたプログラムを読み取り、ハードウェア資源と協働することによって、ブラウザ１０、モード移行部１５、書込部２０としての機能を果たす。
【００１５】
ブラウザ１０は、ＨＴＭＬ言語、ＸＭＬ言語等で記述されたデータを読み取るソフトウェアである。ここで読み取られた内容は表示部１２で表示され、Ｗｅｂサーバ１に設置されたＷｅｂページを閲覧したりする際に用いられる。そしてブラウザ１０は、図２に示すようにパーサ部１１を備えている。
パーサ部１１は、Ｗｅｂ上のページから送信されたＭＭＣから、ＸＭＬ形式で記述されたコマンド列を抽出し、抽出されたコマンド列が携帯電話機５で実行可能なものであるか否かの判定を行う。
【００１６】
書込部２０は、パーサ部１１で抽出されたコマンド列に従って、メモリ１３への書き込みを行う。
ここでパーサ部１１と書込部２０は、携帯電話機５の購入後、通信事業者指定の初期設定サーバにアクセスして、初期設定情報をメモリ１３に書き込むために設けられている。本実施形態では、それだけではなく、映画情報を掲載しているホームページにアクセスし、マナーモードに関する設定を行うためのＭＭＣを受信する。映画情報のＷｅｂページにアクセスした際に得られた、ＭＭＣの一例を図３に示す。
【００１７】
パーサ部１１は、本図におけるタグ＜ｍｍｃ  ｍｍｃＩＤ．．．＞と＜／ｍｍｃ＞から、この間にある文をコマンド列として抽出する。タグ＜ｍｅｔｈｏｄ．．．／＞内に記述されている文は、個々のコマンドを示している。それらは、コマンド識別子であるｉｄと、メモリアクセスの為のコマンドであるｎａｍｅと、サーバ側に応答する際の条件を示すｒｅｐｏｒｔｓｔａｔｕｓと、携帯電話機５におけるメモリ１３の書き込み先を指定するｏｂｊｅｃｔと、メモリ１３に書き込む値を示すｖａｌｕｅとを含む。ｎａｍｅが”ｗｒｉｔｅ”の場合には、揮発メモリへ書き込み、”ｃｏｍｍｉｔ”の場合には、不揮発メモリへの書き込みを示す。
【００１８】
表示部１２は、液晶ディスプレイなどで実現されており、制御部９からの信号を受けて、待ち受け画面やブラウザ１０を用いてＷｅｂページを表示する。表示部１２にて映画情報のページを表示させた例を図４に示す。本図では、あるユーザが映画に出かける前に、映画情報のホームページにて、○○シネマで上映されているアクション映画×××の上映時間を調べている場面を示す。ここで、ユーザが上映時間の“１回目”をクリックすると、表示部１２に図５の画面が表示される。図５では、ユーザがＷｅｂページを閲覧している当日の１回目の上映時間である、“２００３年５月１０日  １０時〜１２時３０分”という情報が表示される。ここで”ＯＫ”をクリックすると、表示部１２に図６の画面が表示される。図５で表示された１回目の上映時間帯について、マナーモードを設定するか否かの選択を、ユーザに促している画面である。これは図５で上映時間を閲覧した際に、マナーモード設定コマンド列を含んだＭＭＣが自動的にダウンロードされ、パーサ部１１にて、抽出されることで表示される。ここで”Ｙｅｓ”を選択すると、書込部２０がマナーモード設定のための日時情報をメモリ１３に書き込むことによってマナーモードの設定が登録され、上記時間帯におけるマナーモードの設定は有効となる。そして、表示部１２にマナーモードの設定登録が完了したことを示す図７の画面が表示される。ここで”Ｎｏ”を選択した場合には、メモリ１３には、マナーモード設定のための日時情報の書き込みは行われないためマナーモードの設定は登録されず、上記時間帯におけるマナーモードの設定は無効となる。
【００１９】
メモリ１３は、揮発メモリと不揮発メモリを有している。揮発メモリは、ＤＲＡＭやＳＲＡＭ等であり、データの記憶に電源を必要とし、ここに格納された内容は携帯電話機５の電源が断たれた場合には、消滅する。制御部９で処理が行われて、データを一時的に保管する場合に使用される。
不揮発メモリは、ＥＥＰＲＯＭ等であり、ここに格納された内容は携帯電話機５の電源が断たれても消滅することはない。よって、マナーモード設定コマンド列がメモリ１３の不揮発メモリに書き込まれることによって、このコマンド列が携帯電話機５に登録され、マナーモードの設定が有効となるのである。
【００２０】
図８は、メモリ１３に格納されたデータの一例を示すものであり、パーサ部１１でＭＭＣから抽出されたコマンド列を、書込部２０が実行した結果、メモリ１３の指定されたメモリ領域に、コマンド列で示した値が書き込まれる。  ｐｈｏｎｅ：ｍａｎｎｅｒｓｅｔｔｉｎｇ．ｄａｔｅ，ｐｈｏｎｅ：ｍａｎｎｅｒｓｅｔｔｉｎｇ．ｓｔａｒｔ，ｐｈｏｎｅ：ｍａｎｎｅｒｓｅｔｔｉｎｇ．ｅｎｄという３つのメモリ領域があり、それぞれはマナーモード設定日、マナーモード開始時刻、マナーモード終了時刻を格納するものである。本図の例では、マナーモード設定日に“２００３年５月１０日“、マナーモード開始時刻に”１０時“、マナーモード終了時刻に“１２時３０分”が書き込まれることになる。  クロック部１４は、現在日時を計時し、その情報を制御部９に受け渡す。
【００２１】
モード移行部１５は、クロック部１４で計時している現在日時を監視し、メモリ１３に格納されているマナーモード設定に関する日時情報と一致した際に、携帯電話機５を通常モードからマナーモードへ、あるいはマナーモードから通常モードへの移行を制御する。モード移行部１５が、モード状態に応じてモードフラグを変化させ、このモードフラグにより発光部１６、振動モータ１７、リンガ１８を制御する。
【００２２】
モードフラグは、携帯電話機５におけるモード状態を示すフラグであり、モード移行部１５からの信号を受けて変化し、メモリ１３に書き込まれる。通常モードの場合は“０”、マナーモードの場合には“１”を指し示す。
発光部１６は、電話の着信があった際に、制御部９からの信号を受けて発光させることによって、ユーザに電話の着信を報知する。
【００２３】
振動モータ１７は、電話の着信があった際に、制御部９からの信号を受けて振動させることによって、ユーザに電話の着信を報知する。
リンガ１８は、電話の着信があった際に、制御部９からの信号を受けて発音させることによって、ユーザに電話の着信を報知する。
通常は、発光部１６、振動モータ１７、リンガ１８のオン、オフはユーザの選択によって決定されるが、本実施形態では、マナーモードに移行した際には、自動的に発光部１６と振動モータ１７はオン、リンガ１８はオフに設定され、電話の着信の際には、発光と振動によって着信を報知する。また、メモリ１３には、マナーモード移行時にマナーモード移行前の発光部１６、振動モータ１７、リンガ１８のオン、オフの設定が格納され、マナーモードを終了し、通常モードに復帰した際には、その設定に戻される。
【００２４】
操作部１９は、電話番号、文字等の入力や、各種操作を行うことができるようキーが配列されており、これらのキー操作によって着信時に電話を取ったり、ブラウザ１０を起動しネットワークを介して、Ｗｅｂページを閲覧することが可能となる。
ここで、本発明に係る携帯通信装置において、Ｗｅｂページ上からマナーモード設定コマンドをダウンロードしてから、実際に携帯電話機５でマナーモードが設定され、そして、それが終了して通常モードに戻るまでのフローについて、図９を用いて説明する。
【００２５】
携帯電話機５のブラウザ１０を起動して、図５に示すような映画の上映時間などが掲載されているＷｅｂページを閲覧する（ステップＳ１）。上映時間の情報を閲覧した際に、ＸＭＬ形式でコマンド列が記述されているＭＭＣがネットワーク３を介して、ブラウザ１０へダウンロードされる（ステップＳ２）。ブラウザ１０内のパーサ部１１において、ＭＭＣからタグ＜ｍｍｃ  ｍｍｃＩＤ．．．＞と＜／ｍｍｃ＞を検出し（ステップＳ３）、タグ＜ｍｅｔｈｏｄ．．．／＞内に記述されているコマンド列を抽出する（ステップＳ４）。次に、パーサ部１１で抽出されたコマンド列が携帯電話機５で実行可能であるか否かを検証する（ステップＳ５）。そして、そのコマンド列が何らかの原因で問題が生じており、無効であると判断された場合には、図５に示すような上映時間を表示している画面で”ＯＫ”をクリックした際に、エラー表示とともにマナーモードの設定登録は行われないことを示すメッセージが表示される（ステップＳ６）。またコマンド列が実行可能であると判断された場合には、図６に示すようなマナーモードを設定するかどうかの選択をユーザに促す画面において（ステップＳ７）、”Ｙｅｓ”を選択すると、メモリ１３にマナーモード設定日とマナーモード開始時刻とマナーモード終了時刻が書き込まれる（ステップＳ８）。これによってマナーモードの設定登録が完了したことになる。ここでもし、コマンド列に問題があったためにメモリ１３への書き込みが正常に行われなかった場合には（ステップＳ９）、エラー表示とともに、マナーモードの設定登録が行えなかったことを示すメッセージが表示される（ステップＳ１０）。
【００２６】
また、ステップＳ７で”Ｎｏ”を選択した場合にも、メモリ１３には書き込みがされず、マナーモードの設定登録は行われない。
モード移行部１５は、クロック部１４で計時される日時を監視して、メモリ１３に格納されているマナーモードの開始日時と合致した時に（ステップＳ１１）、モードフラグを“０”から“１”に変化させる。このモードフラグの変化を受けて携帯電話機５をマナーモードへ移行させ、発光部１６と振動モータ１７は、オン、リンガ１８はオフに設定される（ステップＳ１２）。
【００２７】
次に、クロック部１４がメモリ１３に格納されているマナーモードの終了日時を示したとき（ステップＳ１３）、モード移行部１５は、モードフラグを“１”から“０”に変化させる。この変化を受けて、携帯電話機５を通常モードへ復帰させる。その場合には、発光部１６、振動モータ１７、リンガ１８はマナーモード移行前の状態に戻される（ステップＳ１４）。
【００２８】
以上のように、ユーザは、携帯電話機で映画の上映時間が掲載されたＷｅｂページを閲覧するだけで、その映画の上映時間帯に対して、マナーモードを設定することができ、マナーモードの開始と終了に関して自動的に制御されることとなる。このように主催者側がマナーモードの設定を行わせることによって、ユーザによるマナーモードの設定し忘れを減少させることができる。
【００２９】
＜補足＞
以上、本発明に係る携帯通信装置について実施の形態に基づいて説明したが、このような携帯通信装置を部分的に更に変形することもでき、本発明は上述した形態に限られないことは勿論である。即ち、
（１）    実施形態では、ＸＭＬ言語で記述された書込コマンドを用いて、マナーモードを設定することとしたが、Ｗｅｂサーバ上に設置されたコマンド列を受信した携帯通信装置のブラウザが、コマンド列に従ってメモリに日時情報を書き込むことができ、その日時情報に基づいて携帯通信装置でマナーモード設定が実行可能であれば、ＸＭＬ言語に限らず他の言語で記述されていてもよい。
【００３０】
（２）    実施形態では、マナーモードの適応例を映画の上映時間帯としたが、これに限定されるのではなく、電車など公共交通機関の乗車時間帯であってもよいし、会議、セミナー、テストなどの実施時間帯であってもよい。
（３）    実施形態では、携帯通信装置に関して、携帯電話機を例に挙げて説明を行ったが、これに限定されるのではなく、本発明で定義するマナーモードの設定を行うことが可能なＰＤＡなど他の携帯通信装置であってもよい。
【００３１】
（４）    実施形態では、マナーモードの設定登録に、設定日、開始時刻、終了時刻の３つの要件が必要であると説明したが、これら３つの情報が必要というわけではなく、開始時刻、あるいは終了時刻の１つの情報だけでもよい。
【００３２】
【発明の効果】
以上説明したように、本発明に係る携帯通信装置はネットワークを介して、サーバ装置におけるＷｅｂページにアクセスする携帯通信装置であって、メモリと、Ｗｅｂページから時刻情報を取得するブラウザと、前記ブラウザで取得された時刻情報をメモリに書き込む書込手段と、現在時刻を計時するクロック手段と、現在時刻がメモリ中の時刻情報に示される時刻になれば、通常モードからマナーモードに移行する処理、又は、マナーモードから通常モードに移行する処理を行うモード移行手段とを備えるので、ユーザがＷｅｂページを閲覧することによって、携帯通信装置は通常モードからマナーモードへの移行を行う。ユーザがマナーモードへの切り換え操作を忘れた場合でも、Ｗｅｂページを閲覧するという行為さえなされれば、確実にマナーモードへの移行が実現されるので、マナーモードへの切り換え忘れを減少させることができる。映画上映の主催者によりＷｅｂページが運営されている場合には、主催者は映画の上映時間中におけるマナーモードの設定を、ユーザ側のモラルに頼ることなく行うことができるので、その利便性は大きい。そして、より多くのユーザにＷｅｂページを閲覧してもらえるように工夫することによって、さらにマナーモードの設定し忘れの減少に貢献することが可能である。
【００３３】
また、前記ブラウザは、Ｗｅｂページの内容を解析して、ＸＭＬ言語で記述されたコマンドを抽出するパーサ部を備え、前記書込部によるメモリへの時刻情報の書き込みは、抽出されたコマンドが時刻情報をメモリに書き込む旨の書込コマンドである場合に行われてもよい。初期設定のためにＸＭＬ言語に対応したパーサ部と書込部を既に備えている携帯電話機については、Ｗｅｂページよりダウンロードした日時情報の書き込みを行わせることができる。本発明において、携帯電話機の追加構成として、最低限パーサ部と書込部さえあればよいことから、携帯電話機のコストアップを招くことなく、マナーモード設定のし忘れを減少させることが可能である。
【図面の簡単な説明】
【図１】携帯電話機５を用いた通信システムの構成を示す図である。
【図２】ブラウザ１０の構成を示す図である。
【図３】映画情報のＷｅｂページにアクセスした際に得られた、ＭＭＣの一例を示す図である。
【図４】表示部１２での映画情報のページの表示内容を示す図である。
【図５】表示部１２での映画の上映時間の表示内容を示す図である。
【図６】マナーモードの設定登録を行うか否かを選択することにおける、表示部１２での表示内容を示す図である。
【図７】マナーモードの設定登録が完了した際の表示部１２での表示内容を示す図である。
【図８】メモリ１３に格納されたデータの一例を示す図である。
【図９】Ｗｅｂページ上からマナーモード設定コマンドをダウンロードし、実際に携帯電話機５でマナーモードが設定され、それが終了して通常モードに戻るまでのフローチャートである。
【符号の説明】
１  Ｗｅｂサーバ
２  提供部
３  ネットワーク
４  基地局
５  携帯電話機
６  アンテナ
７  ＲＦ部
８  ＢＢ部
９  制御部
１０  ブラウザ
１１  パーサ部
１２  表示部
１３  メモリ
１４  クロック部
１５  モード移行部
１６  発光部
１７  振動モータ
１８  リンガ
１９  操作部
２０  書込部
【図１】
2005006021.tif 000003
【図２】
2005006021.tif 000004
【図３】
2005006021.tif 000005
【図４】
2005006021.tif 000006
【図５】
2005006021.tif 000007
【図６】
2005006021.tif 000008
【図７】
2005006021.tif 000009
【図８】
2005006021.tif 000010
【図９】
2005006021.tif 000011